(57)【要約】【課題】長期間使用しない場合において電池の浪費を低減することのできるアクティブタグを提供する。【解決手段】無線通信を行うアクティブタグ１０は、制御回路１１０、ＬＦ受信回路１２０及びＵＨＦ送信回路各回路１４０のそれぞれと電池１５０とが非接続状態である場合において操作ボタン１８０が押下されると、操作ボタン１８０に付された導電性接着シート１５が、各回路と接続された接続線１９０の開放端１９０ａと電池１５０と接続された接続線１９０１開放端１９１ａとの双方に接着し、電池１５０と各回路とを接続状態とする。【選択図】図３
2012133546.tif 000002
【特許請求の範囲】
【請求項１】
電池から無線回路に至る配線路が一部欠落され、当該欠落部に対向するアクティブタグ表面部に当該欠落部に向けて押下するボタン部を有し、当該ボタン部を押下することで、ボタン部底面に付された導電性シートが前記欠落部に添着されて、前記配線路を導通する
ことを特徴とするアクティブタグ。
【請求項２】
前記欠落部は、前記配線路のうち、前記電池に接続された導電路の第１の開放端と、前記無線回路に接続された導電路の第２の開放端との間に存在し、
前記導電性シートは、前記第１の開放端及び前記第２の開放端の双方から離間した状態を保って配置される
ことを特徴とする請求項１に記載のアクティブタグ。
【請求項３】
前記基板の主表面には、ゆるやかに凹んだ凹部が設けられており、
前記導電性シートには、導電性の接着部材が付着しており、
前記第１の開放端及び第２の開放端が凹部内まで延長されており、
前記導電性シートが、前記第１の開放端及び第２の開放端を結ぶ線分を含むように前記凹部の表面に添着する
ことを特徴とする請求項２に記載のアクティブタグ。
【請求項４】
前記凹部の平面視形状が、前記第１の開放端と前記第２の開放端とを結ぶ線分と平行な２辺を含む矩形状である
ことを特徴とする請求項３に記載のアクティブタグ。
【請求項５】
前記ボタン部の上面には、前記第１の開放端と前記第２の開放端とを結ぶ線分の向きを示すマークが付されている
ことを特徴とする請求項２に記載のアクティブタグ。
【請求項６】
前記基板は、さらに、アクティブタグ本体の動作制御を行う制御回路を有しており、
前記制御回路が有する入力端子と接続された接続線の第３の開放端及び出力端子と接続された接続線の第４の開放端が、前記凹部内まで延長されており、
前記導電性シートは、前記第１の開放端から前記第４の開放端のうち前記第１及び前記第２の開放端のみを接続する形状をなしており、
前記ボタン部の底面には、さらに、前記入力端子及び前記出力端子を接続するための導電性部材が、前記導電性シートとの絶縁状態を保って設けられており、
前記導電性シートが前記第１及び前記第２の開放端を接続するよう添着した後、前記ボタン部が再度押下されることで、前記第３及び前記第４の開放端が前記導電性部材により接続して信号を流すことで操作指示を与える
ことを特徴とする請求項３に記載のアクティブタグ。
【請求項７】
前記基板には、当該アクティブタグの動作を制御し、且つ前記無線回路と前記第２の開放端との間の配線路に制御回路を有し、
前記電池と前記制御回路との間の配線路とは別の配線路が、前記第１の開放端と前記第２の開放端とから形成される配線路とは並列となるように配線され、
前記別の配線路において、前記第１の開放端と前記第２の開放端とが非接続状態である場合には前記電池と前記制御回路とを非接続状態にし、前記第１の開放端と前記第２の開放端とが接続状態である場合において前記制御回路から電気信号が印加されると前記電池と前記制御回路とを接続状態とするスイッチ回路が配された
ことを特徴とする請求項２に記載のアクティブタグ。
【請求項８】
前記スイッチ回路を第１のスイッチ回路とし、
前記無線回路は、ＬＦ周波数帯で信号を受信する受信回路を含み、
第２のスイッチ回路が、前記第１の開放端と前記電池との配線路上であって、前記別の配線路の接続点と前記電池との間に配されており、
前記第２のスイッチ回路は、
前記電池が前記配線路及び前記別の配線路それぞれを介して前記無線回路に電力を供給している場合において、前記受信回路が外部装置から電池からの電力供給を停止する旨の命令を受信すると、前記接続点と前記電池との間を非導通とし、
前記接続点と前記電池との間を非導通である場合には、前記受信回路が受信した無線信号を起電力として前記接続点と前記電池との間を導通する
ことを特徴とする請求項７に記載のアクティブタグ。
【発明の詳細な説明】
【技術分野】
【０００１】
本発明は、アクティブタグに関し、特に、内蔵電池の長寿命化に関するものである。
【背景技術】
【０００２】
従来から、部屋への入退出管理を行う個人認証システムとして、アクティブタグと、当該アクティブタグから送信される信号を受信して所有者の認証を行うリーダとから構成されているものがある。
【０００３】
この個人認証システムを構成するアクティブタグは、常時、内蔵電池（以下、電池という。）からの電力供給を受けている。この電池は、タグ内に埋設されていて容易に交換することができないので、電池の寿命がタグの寿命に直結する。そのため、電池の長寿命化が強く要望されている。
【０００４】
電池の長寿命化を図るための技術が、特許文献１に開示されている。特許文献１では、アクティブタグがリーダと通信を行わない場合には、リーダとの通信の開始、終了を制御するための制御信号を受信する受信回路だけを駆動させ、他の回路を停止させておくことで電池の消費電力の低減を図っている。
【先行技術文献】
【特許文献】
【０００５】
【特許文献１】特開２００６−７２７０６号公報
【発明の概要】
【発明が解決しようとする課題】
【０００６】
ところで、通常、アクティブタグは、送受信回路が電池に電気的に接続された状態で製造が完了する。そのため、上記の特許文献１の技術を用いても、受信回路には電力の供給がされているので、製造が完了した以降において電池の電力を消費し続けていることとなる。
【０００７】
つまり、製造後出荷までの間のように長時間使用しない状態であっても、電池の電力を消費してしまうこととなる。
本発明は、上記問題に鑑みてなされたものであり、長期間使用しない場合において電池の浪費を抑制することのできるアクティブタグを提供することを目的とする。
【課題を解決するための手段】
【０００８】
上記目的を達成するために、本発明は、アクティブタグであって、電池から無線回路に至る配線路が一部欠落され、当該欠落部に対向するアクティブタグ表面部に当該欠落部に向けて押下するボタン部を有し、当該ボタン部を押下することで、ボタン部底面に付された導電性シートが前記欠落部に添着されて、前記配線路を導通することを特徴とする。
【発明の効果】
【０００９】
この構成によると、アクティブタグは、電池と無線回路に至る導通路が一部欠落している状態、つまり電池と無線回路とが非接続状態である場合においてボタン部が押下され前記導通路が導通しない限り、電池と無線回路とが接続状態となることはない。これにより、当該アクティブタグは、長期間使用しないで放置しても電池の浪費を抑制することができる。
【００１０】
ここで、前記欠落部は、前記配線路のうち、前記電池に接続された導電路の第１の開放端と、前記無線回路に接続された導電路の第２の開放端との間に存在し、前記導電性シートは、前記第１の開放端及び前記第２の開放端の双方から離間した状態を保って配置されるとしてもよい。
【００１１】
この構成によると、アクティブタグは、ボタン部底面の導電性シートは、第１及び第２の開放端と離間した状態を保って配置しているので、確実に電池と無線回路とを非接続状態に保つことができる。
【００１２】
ここで、前記基板の主表面には、ゆるやかに凹んだ凹部が設けられており、前記導電性シートには、導電性の接着部材が付着しており、前記第１の開放端及び第２の開放端が凹部内まで延長されており、前記導電性シートが、前記第１の開放端及び第２の開放端を結ぶ線分を含むように前記凹部の表面に添着するとしてもよい。
【００１３】
この構成によると、アクティブタグの基板には、凹部により、さらに、確実に電池と無線回路とを非接続状態に保つことができる。
ここで、前記凹部の平面視形状が、前記第１の開放端と前記第２の開放端とを結ぶ線分と平行な２辺を含む矩形状であるとしてもよい。
【００１４】
この構成によると、アクティブタグの利用者は、どの方向に導電性シートが接着すれば、電池と無線回路とが接続状態になるかを凹部の形により知ることができる。
ここで、前記ボタン部の上面には、前記第１の開放端と前記第２の開放端とを結ぶ線分の向きを示すマークが付されているとしてもよい。
【００１５】
この構成によると、アクティブタグの利用者は、どの方向に導電性シートが接着すれば、電池と無線回路とが接続状態になるかをマークにより知ることができる。
ここで、前記基板は、さらに、アクティブタグ本体の動作制御を行う制御回路を有しており、前記制御回路が有する入力端子と接続された接続線の第３の開放端及び出力端子と接続された接続線の第４の開放端が、前記凹部内まで延長されており、前記導電性シートは、前記第１の開放端から前記第４の開放端のうち前記第１及び前記第２の開放端のみを接続する形状をなしており、前記ボタン部の底面には、さらに、前記入力端子及び前記出力端子を接続するための導電性部材が、前記導電性シートとの絶縁状態を保って設けられており、前記導電性シートが前記第１及び前記第２の開放端を接続するよう添着した後、前記ボタン部が再度押下されることで、前記第３及び前記第４の開放端が前記導電性部材により接続して信号を流すことで操作指示を与えるとしてもよい。
【００１６】
この構成によると、アクティブタグのボタン部は、電池と無線回路とを接続状態にするために用いるだけではなく、回路に指示を与えるボタンとしても利用することができる。
ここで、前記基板には、当該アクティブタグの動作を制御し、且つ前記無線回路と前記第２の開放端との間の配線路に制御回路を有し、前記電池と前記制御回路との間の配線路とは別の配線路が、前記第１の開放端と前記第２の開放端とから形成される配線路とは並列となるように配線され、前記別の配線路において、前記第１の開放端と前記第２の開放端とが非接続状態である場合には前記電池と前記制御回路とを非接続状態にし、前記第１の開放端と前記第２の開放端とが接続状態である場合において前記制御回路から電気信号が印加されると前記電池と前記制御回路とを接続状態とするスイッチ回路が配されたとしてもよい。
【００１７】
この構成によると、アクティブタグは、電池と無線回路とを別の経路にて安定的に電力を供給することができる。
ここで、前記スイッチ回路を第１のスイッチ回路とし、前記無線回路は、ＬＦ周波数帯で信号を受信する受信回路を含み、第２のスイッチ回路が、前記第１の開放端と前記電池との配線路上であって、前記別の配線路の接続点と前記電池との間に配されており、前記第２のスイッチ回路は、前記電池が前記配線路及び前記別の配線路それぞれを介して前記無線回路に電力を供給している場合において、前記受信回路が外部装置から電池からの電力供給を停止する旨の命令を受信すると、前記接続点と前記電池との間を非導通とし、前記接続点と前記電池との間を非導通である場合には、前記受信回路が受信した無線信号を起電力として前記接続点と前記電池との間を導通する  としてもよい。
【００１８】
この構成によると、アクティブタグの第２のスイッチ回路は、電池と無線回路とが接続状態である場合において外部装置から電池からの電力供給を停止する旨の命令を受信すると、電池と無線回路とを非接続とする。これにより、アクティブタグを再度長時間使用しない場合には、電池と無線回路とを非接続の状態とするので、さらなる電池の浪費を防ぐことができる。
【００１９】
また、受信回路が受信した無線信号を起電力として、非接続状態を接続状態へと切り替えるので、再度利用したい場合には電池と無線回路との接続を容易におこなうことができる。
【図面の簡単な説明】
【００２０】
【図１】アクティブタグ１０とリーダ２０との構成を示すブロック図である。
【図２】（ａ）はアクティブタグ１０の外観を示す斜視図であり、（ｂ）は平面図である。
【図３】（ａ）は操作ボタン１８０の押下前の状態についてｘ−ｘ’方向の断面を拡大した断面図であり、（ｂ）は操作ボタン１８０の押下中の状態についてｘ−ｘ’方向の断面を拡大した断面図であり、（ｃ）操作ボタン１８０の押下を止めた後の状態についてｘ−ｘ’方向の断面を拡大した断面図である。
【図４】（ａ）はアクティブタグ１０の分解斜視図であり、（ｂ）は分解側面図である。
【図５】起動信号３００及び識別信号３１０のデータ構造の一例を示す図である。
【図６】アクティブタグ１０の動作を示す流れ図である。
【図７】個人認証システム１の動作を示す流れ図である。
【図８】凹部の変形例を示す図である。
【図９】操作ボタンの構造の変形例を示す（ａ）斜視図、（ｂ）平面図である。
【図１０】（ａ）は操作ボタン１８０の押下前の状態についてｘ−ｘ’方向の断面を拡大した断面図であり、（ｂ）は操作ボタン１８０の押下中の状態についてｘ−ｘ’方向の断面を拡大した断面図であり、（ｃ）操作ボタン１８０の押下を止めた後の状態についてｘ−ｘ’方向の断面を拡大した断面図である。
【図１１】操作ボタンの構造の変形例において、（ａ）は表面板１１について基体１２と対向する面から見た平面図であり、（ｂ）は主表面からみた平面図である。
【図１２】操作ボタンの構造の変形例において、（ａ）は分解斜視図であり、（ｂ）は分解側面図である。
【図１３】アクティブタグ１１００とリーダ１２００との構成を示すブロック図である。
【図１４】アクティブタグ１１００の動作を示す流れ図である。
【図１５】個人認証システム２の動作を示す流れ図である。
【図１６】アクティブタグ２１００とリーダ２２００との構成を示すブロック図である。
【図１７】スイッチオフ信号２４００のデータ構造の一例を示す図である。
【図１８】アクティブタグ２１００の動作を示す流れ図である。
【図１９】個人認証システム３の動作を示す流れ図である。
【発明を実施するための形態】
【００２１】
１．第１の実施の形態
１．１  概要
本実施の形態に係るアクティブタグ１０は、長時間使用しない場合（例えば製造されてから出荷されるまでの間）においては、電池と各回路とを非接続状態としておいて電池からの電力供給を行わず、操作ボタンが押下されることで電池と各回路とを接続して電池からの電力を供給するものである。
【００２２】
１．２  構成
以下、本実施の形態に係るアクティブタグ１０を含んで構成される個人認証システム１の概略を図１に示す。
【００２３】
個人認証システム１は、図１に示すように、アクティブタグ１０とリーダ２０とから構成される。ここで、リーダ２０は、アクティブタグ１０に対して低周波数帯（ＬＦ帯、例えば、１３５ｋＨｚ帯）の起動信号を発信する。一方、アクティブタグ１０は、当該ＬＦ信号を受信すると起動し、リーダ２０に対して、自装置のＩＤ番号に関する情報を含む高周波数帯（ＵＨＦ帯、例えば、４２６ＭＨｚ帯）の識別信号を返信する。なお、この識別信号は、特定小電力ＵＨＦ信号からなる。
【００２４】
なお、リーダ２０は、壁などに設置され電力は外部電源（図示せず）から供給されている。また、アクティブタグ１０は、内蔵する電池１５０を電源とする。
（１）アクティブタグ１０
アクティブタグ１０は、図１に示すように、制御回路１１０と、ＬＦ受信回路１２０と、ＵＨＦ送信回路１４０と、電池１５０と、操作ボタン１８０とを含む。
【００２５】
アクティブタグ１０本体は、図２（ａ）に示すように、表面板１１と、回路基板１００と電池１５０とが配置された基体１２とからなり、基体１２内の回路基板１００及び電池１５０を覆い隠すように表面板１１と基体１２とを重ね合わせている。回路基板１００には、制御回路１１０、ＬＦ受信回路１２０及びＵＨＦ送信回路１４０が組み込んである。
【００２６】
表面板１１は、ユーザが押下すると、押下方向へ湾曲する絶縁性の素材からなる。
（１−１）ＬＦ受信回路１２０
ＬＦ受信回路１２０は、リーダ２０から送信されるＬＦ信号を受信する。ここで、ＬＦ受信回路１２０は、アンテナＡ１１を介してリーダ２０から受信したＬＦ信号を復調して起動信号を取得する。
【００２７】
ＬＦ受信回路１２０は、取得したＬＦ信号に対して誤まり検出処理を行った後に、当該ＬＦ信号の中に起動信号を示すデータが存在するか否かを確認する。
ここで、ＬＦ受信回路１２０は、受信したＬＦ信号の中に起動信号を示すデータが存在すると認識すると、ＬＦ信号が起動信号であると認識し、制御回路１１０及びＵＨＦ送信回路１４０を起動する。そして、ＬＦ受信回路１２０は、更に、起動信号の中からリーダ２０のＩＤ番号の情報を抽出して制御回路１１０に出力する。そして、ＬＦ受信回路１２０は、識別信号の送信が完了した旨の送信完了信号を制御回路１１０から受け取ると、再び、制御回路１１０及びＵＨＦ送信回路１４０を停止する。これにより、アクティブタグ１０全体の消費電力の低減を図っている。
【００２８】
なお、アンテナＡ１１は、３つの独立したコイル（図示せず）を互いに直交する形で配置してなる３軸構成のアンテナである。これによりは、アクティブタグ１０のリーダ２０に対する向きによって受信感度が大きく変動するのを抑制することができる。
【００２９】
（１−２）ＵＨＦ送信回路１４０
ＵＨＦ送信回路１４０は、ＵＨＦ帯の識別信号をアンテナＡ１２を介してリーダ２０へＵＨＦ信号を送信する。この識別信号は、制御回路１１０から入力される識別情報を示す信号でＵＨＦ帯のキャリア信号を変調したものに相当する。
【００３０】
なお、アンテナＡ１２は、微小ループアンテナである。これにより、近くに人体があっても送信特性への影響を少なくすることができる。
（１−３）制御回路１１０
制御回路１１０は、ＣＰＵ及びメモリ（図示せず）を備え、ＬＦ受信回路１２０及びＵＨＦ送信回路１４０の制御を行う。
【００３１】
制御回路１１０は、ＬＦ受信回路１２０で抽出されたリーダ２０のＩＤ番号の情報を受け取ると、アクティブタグ１０のＩＤ番号等の識別情報を示す信号を生成してＵＨＦ送信回路１４０へ出力する。
【００３２】
制御回路１１０は、識別信号の送信を完了すると、送信完了信号をＬＦ受信回路１２０に通知する。
（１−４）電池１５０と各回路との接続構成
操作ボタン１８０は表面板１１の一部領域に描かれたマークである。
【００３３】
アクティブタグ１０は、電池１５０と回路基板１００とが非接続状態、つまり電池１５０と各回路（制御回路１１０、ＬＦ受信回路１２０、ＵＨＦ送信回路１４０）とが非接続状態である場合において、操作ボタン１８０を表すマーク（以下、「ボタンマーク１８０」として記述する。）が押下されると、電池１５０と各回路とが接続状態となり、各回路に電池１５０から電力が供給されるよう構成されている。
【００３４】
以下、その構成について説明する。
図２（ａ）、（ｂ）それぞれはアクティブタグ１０の外観を示す斜視図、及び平面図である。また、図３（ａ）はボタンマーク１８０を押下する前の状態、図３（ｂ）はボタンマーク１８０を押下している状態、及び図３（ｃ）はボタンマーク１８０の押下を止めて元に戻った状態それぞれについて、図２（ｂ）で示すｘ−ｘ’方向での断面を拡大した断面図である。さらには、図４（ａ）はアクティブタグ１０の分解斜視図であり、図４（ｂ）は分解側面図である。
【００３５】
ボタンマーク１８０は、図２（ａ）、（ｂ）、図４（ａ）に示すように、表面板１１上において、回路基板１００と接続された導電路１９０の一端（開放端）１９０ａと、電池１５０と接続された導電路１９１の一端（開放端）１９１ａとを覆う位置に円形状に描かれており、さらに開放端１９０ａと開放端１９１ａを結ぶ線分の方向を示すマーク（ここでは、両方向矢印のマーク）が円形状内に描かれている（図２（ａ）、図３（ａ）参照）。
【００３６】
さらには、図３（ａ）、図４（ａ）、（ｂ）に示すように、ボタンマーク１８０の基体１２に対向する面には、導電性接着シート１５が付されている。導電性接着シート１５が開放端１９０ａ、１９１ａと接着するために導電性接着シート１５の基体１２に対向する面には接着部材が付着している。なお、接着部材は、導電性のものであればよい。また、表面板１１と導電性接着シート１５とは、導電性接着シート１５の基体１２に対向する面に付着している接着部材の接着強度より弱い接着強度の接着部材により接着している。
【００３７】
また、基体１２において、導電性接着シート１５と対向する位置には、すり鉢状になめらかに凹んだ凹部１２ａが設けられている。また、開放端１９０ａ、１９１ａが凹部１２ａ内まで延長されている（図３（ａ）、図４（ａ）、（ｂ）参照）。ここで、すり鉢状の大きさは、少なくとも導電性接着シート１５で覆われるくらいの大きさである。さらに、導電性接着シート１５と凹部１２ａの表面とが接触しないように、表面板１１の基体１２に対向する面には突部１１ａ、１１ｂが設けられている（図３（ａ）、図４（ｂ）参照）。これにより、ボタンマーク１８０を押下することなしに、導電性接着シート１５と凹部１２ａとの接着、つまりは電池１５０と各回路との接続はされないことを確実に保証している。
【００３８】
このような構成を有することで、ボタンマーク１８０が押下されると、押下位置が押下方向に湾曲して、導電性接着シート１５が凹部１２ａ、つまり開放端１９０ａ、１９１ａと接着することができる（図３（ｂ）参照）。そして、ユーザがボタンマーク１８０の押下を止めると、湾曲していた表面板１１の押下位置（ボタンマーク１８０）が湾曲状態から元の状態に戻ろうとする復元力により当該導電性接着シート１５と表面板１１とは離れることとなる（図３（ｃ））。
【００３９】
また、ボタンマーク１８０内には両方向矢印のマークが付されているので、ユーザは、ボタンマーク１８０を押下しながら、この方向に沿ってなぞることで、導電性接着シート１５と開放端１９０ａ、１９１ａとの接着をより確かなものとすることができる。
【００４０】
（２）リーダ２０
リーダ２０は、図１に示すように、制御回路２１０と、ＬＦ送信回路２２０と、ＵＨＦ受信回路２３０とを含んで構成される。
【００４１】
（２−１）ＬＦ送信回路２２０
ＬＦ送信回路２２０は、制御回路２１０から入力される起動信号を用いて変調したＬＦ信号をアンテナＡ１１を介してアクティブタグ１０に送信する。
【００４２】
（２−２）ＵＨＦ受信回路２３０
ＵＨＦ受信回路２３０は、アクティブタグ１０から発信され、アンテナＡ２２を介してアクティブタグ１０から受信したＵＨＦ信号を復調して得られたＩＤ番号を含む識別信号を制御回路２１０に入力する。
【００４３】
（２−３）制御回路２１０
制御回路２１０は、ＣＰＵ及びメモリ（図示せず）を備え、ＬＦ送信回路２２０及びＵＨＦ受信回路２３０を制御する。
【００４４】
ここで、制御回路２１０は、アクティブタグ１０を起動させるための起動信号を生成し、ＬＦ送信回路２２０に入力する。また、制御回路２１０は、ＵＨＦ受信回路２３０からアクティブタグ１０のＩＤ番号に関する情報を含む識別信号が入力されると、認証処理を行う。この認証処理とは、例えば、リーダ２０が入室が制限された部屋の入り口に設置されている場合、アクティブタグ１０のＩＤ番号を照合して、当該アクティブタグ１０の所持者が入室を許可できる者であるか否かを判別する処理である。
【００４５】
更に、制御回路２１０は、認証処理で得られたデータを、リーダ２０に接続された上位装置（例えば、ＩＤ番号を管理するサーバ等）に送信する。
１．３  信号のデータ構造
以下、本実施の形態に係る個人認証システム１で用いられる起動信号３００及び識別信号３１０のデータ構造について、図５を用いて説明する。
【００４６】
（１）起動信号３００
起動信号３００は、図５（ａ）に示すように、プリアンブル（ＰＲ）３０１と、ユニークワード（ＵＷ）３０２と、起動パターン（ＷＡＫＥ）３０３と、リーダ２０のＩＤ番号からなる識別情報（ＩＤ１）３０４と、誤り検出符号（ＣＲＣ）３０５とを有している。
【００４７】
ここで、プリアンブル３０１は、起動信号の始まりを示すビット列（同期符号）であり、ユニークワード３０２は、いわゆるフレーム同期信号である。また、誤り検出符号３０５は、アクティブタグ１０側で受信した起動信号に誤りが発生しているか否かを検出するためのビット列である。そして、起動パターン（ＷＡＫＥ）３０３は、ＬＦ信号が起動信号であることを識別するためのビット列のパターンある。なお、リーダ２０の識別情報（ＩＤ１）３０４は、リーダ２０の制御回路２１０に含まれるメモリ（図示せず）に予め記憶されている。
【００４８】
（２）識別信号３１０
識別信号３１０は、図５（ｂ）に示すように、プリアンブル（ＰＲ）３１１と、ユニークワード（ＵＷ）３１２と、リーダ２０のＩＤ番号からなる識別情報（ＩＤ１）３１３と、アクティブタグ１０のＩＤ番号からなる識別情報（ＩＤ２）３１４と、誤り検出符号（ＣＲＣ）３１５とを有している。
【００４９】
識別情報（ＩＤ１）３１３は、アクティブタグ１０から発信された識別信号を受信したリーダ２０が、受信した識別信号が自装置宛ての信号か否かを判別するために用いられる。また、識別情報（ＩＤ２）３１４は、リーダ２０が自装置宛てに送信された識別信号がどのアクティブタグ１０から送信されたものかを識別するために用いられる。
【００５０】
ここで、プリアンブル（ＰＲ）３１１は、識別信号の始まりを示すビット列（同期符号）であり、ユニークワード（ＵＷ）３１２は、いわゆるフレーム同期信号である。また、誤り検出符号（ＣＲＣ）３１５は、リーダ２０側で受信した識別信号に誤りが発生しているか否かを検出するためのビット列である。なお、識別情報（ＩＤ２）３１４は、アクティブタグ１０の制御回路１１０に含まれるメモリ（図示せず）に予め記憶されている。
【００５１】
１．４  動作
本実施の形態に係るアクティブタグ１０の動作について図６及び図７に基づいて説明する。
【００５２】
まず、アクティブタグ１０は、製造が完了した時点では電池１５０と各回路とは非接続状態となっている。
（１）アクティブタグ１０の動作
以下、図６に示す流れ図を用いて、アクティブタグ１０の動作について説明する。
【００５３】
ボタンマーク１８０が押下されると導電性接着シート１５が凹部１２ａに接着し（ステップＳ１）、電池１５０から供給される電力によりＬＦ受信回路１２０だけが起動する（ステップＳ２）。
【００５４】
そして、ＬＦ受信回路１２０は、リーダ２０からアンテナＡ１１を介してＬＦ信号をいつでも受信できる状態で待機する（ステップＳ３）。
ＬＦ信号を受信した場合（ステップＳ３における「Ｙｅｓ」）、ＬＦ受信回路１２０は、受信したＬＦ信号が起動信号である否かを判断する（ステップＳ４）。具体的には、ＬＦ受信回路１２０は、受信したＬＦ信号に起動パターンＷＡＫＥが存在するか否かを判断する。
【００５５】
ＬＦ信号が起動信号であると判断する場合（ステップＳ４における「Ｙｅｓ」）、ＬＦ受信回路１２０は、制御回路１１０及びＵＨＦ送信回路１４０を起動する（ステップＳ５）。
【００５６】
続いて、制御回路１１０は、アクティブタグ１０の識別情報をＵＨＦ送信回路１４０に入力する。ＵＨＦ送信回路１４０は、入力された識別情報を用いて変調したＵＨＦ帯の識別信号をリーダ２０に送信する（ステップＳ６）。
【００５７】
制御回路１１０は、ＵＨＦ信号の送信が完了すると、送信完了信号をＬＦ受信回路１２０に入力する。そして、ＬＦ受信回路１２０は、送信完了信号が入力されると、制御回路１１０及びＵＨＦ送信回路１４０を再び停止させる（ステップＳ７）。その後、処理は、ステップＳ３に移行する。
【００５８】
また、ＬＦ信号が起動信号でないと判断する場合（ステップＳ４における「Ｎｏ」）、処理は、ステップＳ３に移行する。
（２）個人認証システム１の動作
ここでは、個人認証システム１の動作概要について、図７に示す流れ図を用いて説明する。
【００５９】
アクティブタグ１０は、製造完了時からボタンマーク１８０が押下されるまでの間、電池１５０と各回路とは非接続の状態となっている。
アクティブタグ１０は、ボタンマーク１８０が押下されると（Ｔ１）、図６に示すステップＳ２の動作により、ＬＦ受信回路１２０が起動する（Ｔ２）。
【００６０】
ここで、リーダ２０は、ＬＦ帯の起動信号を生成するとともに、常にアンテナＡ２１を介して外部に当該起動信号を送出している（Ｔ２１）。このとき、アクティブタグ１０の所持者が、リーダ２０からのＬＦ信号の到達範囲内に侵入すると、ＬＦ受信回路１２０が、起動信号を受信する。
【００６１】
アクティブタグ１０のＬＦ受信回路１２０が起動信号を受信すると、図６に示すステップＳ３からＳ５の動作により、制御回路１１０及びＵＨＦ送信回路１４０が起動される（Ｔ３）。
【００６２】
アクティブタグ１０は、図６に示すステップＳ６の動作により、識別信号をアンテナＡ１１を介して外部（リーダ２０）に送信する。そして、送信が完了すると、図６に示すステップＳ７の動作により、制御回路１１０及びＵＨＦ送信回路１４０が停止される（Ｔ４）。
【００６３】
また、リーダ２０では、識別信号を受信すると、認証処理を行う（Ｔ２２）。そして、認証に成功すると、アクティブタグ１０の所持者が入室を許可できる者であると特定して、ドアを開ける。認証に失敗すると、アクティブタグ１０の所持者が入室を許可できる者ではないと特定して、ドアを閉めたままの状態にする。
【００６４】
１．５  まとめ
以上によると、本実施の形態に係るアクティブタグは、製造終了の段階で、電池と各回路とを非接続状態としておけば、製造が完了してからアクティブタグのボタンマークが押下されるまでの間、電池１５０と各回路とを非接続状態で維持することができる。
【００６５】
例えば、アクティブタグ１０の製造後、倉庫に保管しておき、アクティブタグ１０を実際に使用するときにボタンマーク１８０を押下することで、電池１５０と各回路とを接続状態とすることが可能となる。これにより、アクティブタグ１０を長期間放置しても電池の消耗を抑制できるという利点がある。
【００６６】
１．６  変形例
以上、実施の形態において、以下のような変形例が考えられる。
（１）上記実施の形態において、凹部１２ａの形状は円形状としたが、これに限定されない。
【００６７】
例えば、図８に示すように、開放端１９０ａと開放端１９１ａとを結ぶ線分に沿った２辺をもつ矩形状であってよい。
矩形状にすることで、押下した後、どの方向になぞればよいかを直感的に知ることができる。
【００６８】
（２）上記実施の形態では、ボタンマーク１８０は、電池１５０と各回路とを接続するためだけに用いたが、これに限定されない。
ボタンマーク１８０は、上記機能に加えて、アクティブタグ１０の操作に用いるボタンマークとして利用してもよい。
【００６９】
この場合の仕組みについて説明する。
図９（ａ）、（ｂ）それぞれは、本変形例に係るアクティブタグ１０Ａの斜視図、平面図である。また、図１０（ａ）、（ｂ）及び（ｃ）それぞれは、本変形例に係るアクティブタグ１０Ａのボタンマーク１８０を押下する前の状態、ボタンマーク１８０を押下している状態、及びボタンマーク１８０の押下を止めて元に戻った状態それぞれについて、図９（ｂ）で示すｘ−ｘ’方向での断面を拡大した断面図である。
【００７０】
また、図１１（ａ）はボタンマーク１８０において基体１２と対向する面から見た図であり、図１１（ｂ）は図９（ｂ）にて示す平面図のうちボタンマーク１８０に係る平面図である。さらには、図１２（ａ）、（ｂ）それぞれは、アクティブタグ１０Ａの分解斜視図及び分解側面図である。
【００７１】
図９（ａ）、（ｂ）、図１２（ａ）に示すように、回路基板１００に備えられた入力端子と接続された導電路１９２の一端（開放端）１９２ａと、出力端子と接続された導電路１９３の一端（開放端）１９３ａとが、開放端１９０ａ、１９１ａと同様に、凹部１２ａ内まで延長されている。
【００７２】
また、ボタンマーク１８０の基体１２と対向する面には、図１０（ａ）に示すように、絶縁層１７、及び導電性接着シート１５の順に付されている。また、絶縁層１７には、導電路１６が設けられている。導電路１６と導電性接着シート１５とは、絶縁層１７により、絶縁が保たれた状態となっている。さらには、図１０（ａ）、図１１（ａ）、（ｂ）及び図１２（ａ）、（ｂ）に示すように、導電路１６の両端は、導電性接着シート１５と接しない状態で突出しており、ボタンマーク１８０が押下されることで、導電路１６の一の端が開放端１９２ａと、他の端と開放端１９３ａとがそれぞれ接続する仕組みとなっている。ここで、導電性接着シート１５の形状は、導電路１６と接しないようにする必要があるので、図１１（ａ）に示すように、開放端１９０ａと開放端１９１ａとを結ぶ線分に直交する線分をもつ形状となっている。
【００７３】
アクティブタグ１０Ａは、上記に説明したような構成を有することで、ボタンマーク１８０が押下されると、導電性接着シート１５が凹部１２ａ内まで延長された開放端１９０ａ及び１９１ａを結ぶように付着する（図１０（ｂ））。これにより、凹部１２ａ内まで延長された開放端１９０ａ、１９１ａとが、導電性接着シート１５を介して接続される。
【００７４】
また、ユーザがボタンマーク１８０の押下を止めると、湾曲していた表面板１１の押下位置（ボタンマーク１８０）が湾曲状態から元の状態に戻ろうとする復元力により当該導電性接着シート１５のみが表面板１１と離れ、絶縁層１７及び導電路１６は表面板１１に付着したままとなる（図１０（ｃ））。
【００７５】
その後、ボタンマーク１８０が押下されることで、導電路１６の一端が開放端１９２ａと、他端と開放端１９３ａとがそれぞれ接続して回路基板１００に備えられた入力端子と出力端子とが導通するので、ボタンマーク１８０は操作用のボタンとしても活用できる。
【００７６】
２．第２の実施の形態
２．１  概要
本実施の形態に係るアクティブタグ１１００では、ボタンマーク１８０が押下された後、安定的な電力を供給する機構を備えるものである。
【００７７】
２．２  構成
以下、本実施の形態に係るアクティブタグ１１００を含んで構成される個人認証システム２の概略を図１３に示す。以下の説明において、第１の実施の形態と同様の構成要素については、同一の符号を付し、その説明を省略する。
【００７８】
個人認証システム２は、図１３に示すように、アクティブタグ１１００とリーダ１２００とから構成される。
なお、アクティブタグ１１００は、内蔵する電池１５０を電源とする。
【００７９】
（１）アクティブタグ１１００
アクティブタグ１１００は、図１３に示すように、制御回路１１１０と、ＬＦ受信回路１２０と、ＵＨＦ送信回路１４０と、電池１５０と、ボタンマーク１８０と、スイッチ１３００とを含んで構成される。
【００８０】
以下、第１の実施の形態とは異なる制御回路１１１０と、スイッチ１３００とについて説明する。
（１−１）スイッチ１３００
スイッチ１３００は、図１３に示すように、その一端が各回路と開放端１９０ａとを接続する導電路に接続され、他端が電池１５０と開放端１９１ａとを接続する導電路に接続されており、ボタンマーク１８０で形成される導電路と並列の関係となるよう設けられている。
【００８１】
スイッチ１３００は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）とソリッドステートリレースイッチ（以下、端にスイッチという。）とから構成された回路である。
【００８２】
スイッチは、制御回路１１１０から入力された電圧が続く限りオンの状態となり、電圧が入力されない場合にはオフの状態となるものである。
つまり、スイッチ１３００は、制御回路１１１０から電力が入力されると、ＡＳＩＣの機能により入力された電圧はスイッチへ出力することで、電池１５０と各回路とを接続する。
【００８３】
（１−２）制御回路１１１０
制御回路１１１０は、第１の実施の形態で示す機能に加えて、以下の機能をも有する。
制御回路１１１０は、電池１５０と接続された後、電池１５０からの電圧が入力されると降圧してからスイッチ１３００に入力する降圧回路（図示せず）を備えている。制御回路１１１０は、ボタンマーク１８０が押下された後に電池１５０と接続されると、電池１５０から入力される電圧を降圧してスイッチ１３００に入力し続ける。
【００８４】
２．３  信号
本実施の形態で用いる信号は、第１の実施の形態で用いる信号（起動信号、識別信号）と同じであるので、ここでの説明は省略する。
【００８５】
２．４  動作
本実施の形態に係るアクティブタグ１１００の動作について、図１４及び図１５に基づいて説明する。
【００８６】
以下において、アクティブタグ１１００の動作と個人認証システム２の動作とに分けて説明する。
（１）アクティブタグ１１００の動作
以下、図１４に示す流れ図を用いて、アクティブタグ１１００の動作について説明する。
【００８７】
ボタンマーク１８０が押下されると導電性接着シート１５が凹部１２ａに接着し（ステップＳ５１）、電池１５０から供給される電力によりＬＦ受信回路１２０及び制御回路１１１０が起動する（ステップＳ５２）。このとき、スイッチ１３００もオン状態となっており、電池１５０は、スイッチ１３００を介しても電力の供給を行っている。
【００８８】
そして、ＬＦ受信回路１２０は、リーダ２０からアンテナＡ１１を介してＬＦ信号をいつでも受信できる状態で待機する（ステップＳ５３）。
ＬＦ信号を受信した場合（ステップＳ５３における「Ｙｅｓ」）、ＬＦ受信回路１２０は、受信したＬＦ信号が起動信号である否かを判断する（ステップＳ５４）。具体的には、ＬＦ受信回路１２０は、受信したＬＦ信号に起動パターンＷＡＫＥが存在するか否かを判断する。
【００８９】
ＬＦ信号が起動信号であると判断する場合（ステップＳ５４における「Ｙｅｓ」）、ＬＦ受信回路１２０は、ＵＨＦ送信回路１４０を起動する（ステップＳ５５）。
続いて、制御回路１１１０は、アクティブタグ１１００の識別情報をＵＨＦ送信回路１４０に入力する。ＵＨＦ送信回路１４０は、入力された識別情報を用いて変調したＵＨＦ帯の識別信号をリーダ２０に送信する（ステップＳ５６）。
【００９０】
制御回路１１１０は、ＵＨＦ信号の送信が完了すると、送信完了信号をＬＦ受信回路１２０に入力する。そして、ＬＦ受信回路１２０は、送信完了信号が入力されると、ＵＨＦ送信回路１４０を再び停止させる（ステップＳ５７）。その後、処理は、ステップＳ５３に移行する。
【００９１】
また、ＬＦ信号が起動信号でないと判断する場合（ステップＳ５４における「Ｎｏ」）、処理は、ステップＳ５３に移行する。
（２）個人認証システム２の動作
ここでは、個人認証システム２の動作概要について、図１５に示す流れ図を用いて説明する。
【００９２】
アクティブタグ１１００は、製造完了時からボタンマーク１８０が押下されるまでの間、電池１５０と各回路とは非接続の状態となっている。
アクティブタグ１１００は、ボタンマーク１８０が押下されると（Ｔ５１）、図１４に示すステップＳ５２の動作により、ＬＦ受信回路１２０及び制御回路１１１０が起動する（Ｔ５２）。このとき、スイッチ１３００もオン状態となっており、電池１５０は、スイッチ１３００を介しても電力の供給を行っている。
【００９３】
ここで、リーダ２０は、ＬＦ帯の起動信号を生成するとともに、常にアンテナＡ２１を介して外部に当該起動信号を送出している（Ｔ１２１）。このとき、アクティブタグ１１００の所持者が、リーダ２０からのＬＦ信号の到達範囲内に侵入すると、ＬＦ受信回路１２０が、起動信号を受信する。
【００９４】
アクティブタグ１１００のＬＦ受信回路１２０が起動信号を受信すると、図１４に示すステップＳ５３からＳ５５の動作により、ＵＨＦ送信回路１４０が起動される（Ｔ５３）。
【００９５】
アクティブタグ１１００は、図１４に示すステップＳ５６の動作により、識別信号をアンテナＡ１１を介して外部（リーダ２０）に送信する。そして、送信が完了すると、図１４に示すステップＳ５７の動作により、ＵＨＦ送信回路１４０が停止される（Ｔ５４）。
【００９６】
また、リーダ２０では、識別信号を受信すると、認証処理を行う（Ｔ１２２）。そして、認証に成功すると、アクティブタグ１１００の所持者が入室を許可できる者であると特定して、ドアを開ける。認証に失敗すると、アクティブタグ１１００の所持者が入室を許可できる者ではないと特定して、ドアを閉めたままの状態にする。
【００９７】
２．５  まとめ
以上により、本実施の形態に係るアクティブタグ１１００は、ボタンマーク１８０が押下されると、導電性接着シート１５で形成される導電路とは異なる導電路により電池１５０からの電力が供給される。
【００９８】
導電性接着シート１５では、接着の強度によっては接続状態となってからしばらくするとその強度が弱まり、開放端１９０ａ、１９１ｂから剥がれてしまうおそれがある。そこで、スイッチ１３００により安定的な電力を供給することで、導電性接着シート１５が開放端１９０ａ、１９１ｂから剥がれてしまっても、電池１５０から各回路への電力の供給を継続することができる。
【００９９】
３．第３の実施の形態
３．１  概要
本実施の形態に係るアクティブタグ２１００では、第２の実施の形態で示す機構を備えるとともに、ボタンマーク１８０が押下された後、再度電池１５０からの供給を停止する機構を備える。
【０１００】
３．２  構成
以下、本実施の形態に係るアクティブタグ２１００を含んで構成される個人認証システム２の概略を図１６に示す。以下の説明において、第１及び第２の実施の形態と同様の構成要素については、同一の符号を付し、その説明を省略する。
【０１０１】
個人認証システム２は、図１６に示すように、アクティブタグ１１００とリーダ２２００とから構成される。ここで、リーダ２２００は、アクティブタグ２１００に対してＬＦ周波数帯で起動信号及びスイッチオフ信号を発信する。ここで、スイッチオフ信号は、電池１５０と各回路とを非接続にする指示を内容とする信号である。一方、アクティブタグ２１００は、当該ＬＦ信号を受信すると、リーダ２０に対して識別信号を返信する。また、スイッチオフ信号を受信すると、電池１５０と各回路とを非接続にする。
【０１０２】
なお、リーダ２２００は、壁などに設置され電力は外部電源（図示せず）から供給されている。また、アクティブタグ２１００は、内蔵する電池１５０を電源とする。
（１）アクティブタグ２１００
アクティブタグ２１００は、図１６に示すように、制御回路２１１０と、ＬＦ受信回路２１２０と、ＵＨＦ送信回路１４０と、電池１５０と、ボタンマーク１８０と、スイッチ１３００、２３００とを含んで構成される。
【０１０３】
以下、第１及び第２の実施の形態とは異なる制御回路２１１０と、ＬＦ受信回路２１２０と、スイッチ２３００とについて説明する。
（１−１）ＬＦ受信回路２１２０
ＬＦ受信回路２１２０は、  リーダ２２００から送信されるＬＦ信号を受信し、受信したＬＦ信号を復調して起動信号やスイッチオフ信号を取得する。
【０１０４】
ＬＦ受信回路２１２０は、取得したＬＦ信号に対して誤まり検出処理を行った後に、当該ＬＦ信号の中に起動信号を示す起動パターンＷＡＫＥやスイッチオフ信号を示すスイッチオフパターンＤＯＦＦが存在するか否かを確認する。
【０１０５】
ここで、ＬＦ受信回路２１２０は、ＬＦ信号の中に起動パターンＷＡＫＥが存在すると認識すると、ＬＦ信号が起動信号であると認識し、ＵＨＦ送信回路１４０を起動する。そして、ＬＦ受信回路２１２０は、更に、起動信号の中からリーダ２０のＩＤ番号の情報を抽出して制御回路１１０に出力する。そして、ＬＦ受信回路２１２０は、識別信号の送信が完了した旨の送信完了信号を制御回路２１１０から受け取ると、再び、ＵＨＦ送信回路１４０を停止する。これにより、アクティブタグ２１００全体の消費電力の低減を図っている。
【０１０６】
また、ＬＦ受信回路２１２０は、ＬＦ信号の中にスイッチオフパターンＤＯＦＦが存在すると認識すると、ＬＦ信号がスイッチオフ信号であると認識し、制御回路２１１０に対してスイッチオフコマンドを通知する。
【０１０７】
さらに、ＬＦ受信回路２１２０は、受信したＬＦ信号（起動信号）により得られた電力を起電力として作動する。ＬＦ信号の電力で作動した場合には、ＬＦ受信回路２１２０は、さらに、制御回路２１１０を起動させるとともに、スイッチオンコマンドを起動した制御回路２１１０に対して通知する。
【０１０８】
（１−２）制御回路２１１０
制御回路２１１０は、第１及び第２の実施の形態で示す機能に加えて、以下の機能をも有する。
【０１０９】
制御回路２１１０は、ＬＦ受信回路２１２０からスイッチオフコマンドを受け取ると、当該スイッチオフコマンドを、スイッチ２３００へ出力する。
また、制御回路２１１０は、ＬＦ受信回路２１２０からスイッチオンコマンドを受け取ると、当該スイッチオンコマンドを、スイッチ２３００へ出力する。
【０１１０】
（１−３）スイッチ２３００
スイッチ２３００は、図１６に示すように、導電路１９０上において、開放端１９１ａ及びスイッチ１３００と直列に接続されるよう設けられている。
【０１１１】
スイッチ２３００は、通常はオン状態、つまり電池と開放端１９１ａ及びスイッチ１３００とが接続された状態になっている。
スイッチ２３００は、制御回路２１１０からスイッチオフコマンドを受け取ると、オフ状態、つまり電池と、開放端１９１ａ及びスイッチ１３００とを非接続状態にする。
【０１１２】
スイッチ２３００は、制御回路２１１０からスイッチオンコマンドを受け取ると、オン状態、つまり電池と開放端１９１ａ及びスイッチ１３００とを接続状態にする。
（２）リーダ２２００
リーダ２２００は、図１６に示すように、制御回路２２１０と、ＬＦ送信回路２２２０と、ＵＨＦ受信回路２３０とを含んで構成される。
【０１１３】
以下、第１及び第２の実施の形態とは異なる制御回路２２１０と、ＬＦ送信回路２２２０とについて説明する。
（２−１）ＬＦ送信回路２２２０
ＬＦ送信回路２２２０は、制御回路２２１０から入力される起動信号を用いて変調したＬＦ信号をアンテナＡ１１を介してアクティブタグ２１００に送信する。
【０１１４】
また、ＬＦ送信回路２２２０は、制御回路２２１０から入力されるスイッチオフ信号を用いて変調したＬＦ信号をアンテナＡ１１を介してアクティブタグ２１００に送信する。
（２−２）制御回路２２１０
制御回路２２１０は、ＣＰＵ及びメモリ（図示せず）を備え、ＬＦ送信回路２２２０及びＵＨＦ受信回路２３０を制御する。
【０１１５】
ここで、制御回路２２１０は、起動信号を生成し、ＬＦ送信回路２２２０に入力する。また、制御回路２２１０は、ＵＨＦ受信回路２３０からアクティブタグ１０のＩＤ番号に関する情報を含む識別信号が入力されると、認証処理を行う。
【０１１６】
制御回路２２１０は、認証処理で得られたデータを、リーダ２２００に接続された上位装置（例えば、ＩＤ番号を管理するサーバ等）に送信する。
また、リーダ２２００は、アクティブタグ２１００において電池１５０と各回路とを非接続とするためのスイッチオフ信号を送信する機能を有する。ここにおいて、ユーザがリーダ２２００に対して所定の操作を行うと、ＬＦ送信回路２２２０を介して、スイッチオフ信号を送信する。
【０１１７】
３．３  信号のデータ構造
以下、本実施の形態に係る個人認証システム３で用いられるスイッチオフ信号２４００のデータ構造について、図１７を用いて説明する。なお、個人認証システム３で用いられる起動信号、識別信号は、第１の実施の形態と同一のデータ構造であるので、ここでの説明は省略する。
【０１１８】
スイッチオフ信号２４００は、図１７に示すように、プリアンブル（ＰＲ）２４０１と、ユニークワード（ＵＷ）２４０２と、電源オフパターン（ＤＯＦＦ）２４０３と、リーダ２０のＩＤ番号からなる識別情報（ＩＤ１）２４０４と、誤り検出符号（ＣＲＣ）２４０５とを有している。
【０１１９】
ここで、プリアンブル２４０１は、起動信号の始まりを示すビット列（同期符号）であり、ユニークワード２４０２は、いわゆるフレーム同期信号である。また、誤り検出符号２４０５は、アクティブタグ２１００側で受信した起動信号に誤りが発生しているか否かを検出するためのビット列である。そして、電源オフパターン（ＤＯＦＦ）２４０３は、ＬＦ信号が電池１５０と各回路とを非接続にさせるためのスイッチオフ信号であることを識別するためのビット列のパターンある。なお、リーダ２２００の識別情報（ＩＤ１）２４０４は、リーダ２２００の制御回路２２１０に含まれるメモリ（図示せず）に予め記憶されている。
【０１２０】
３．４  動作
本実施の形態に係るアクティブタグ２１００の動作について図１８及び図１９に基づいて説明する。
【０１２１】
以下において、アクティブタグ１１００の動作と個人認証システム２の動作とに分けて説明する。
（１）アクティブタグ２１００の動作
以下、図１８に示す流れ図を用いて、アクティブタグ２１００の動作について説明する。
【０１２２】
ボタンマーク１８０が押下されると導電性接着シート１５が凹部１２ａに接着し（ステップＳ２５１）、電池１５０から供給される電力によりＬＦ受信回路２１２０及び制御回路２１１０が起動する（ステップＳ２５２）。このとき、スイッチ１３００もオン状態となっており、電池１５０は、スイッチ１３００を介しても電力の供給を行っている。
【０１２３】
そして、ＬＦ受信回路２１２０は、リーダ２２００からアンテナＡ１１を介してＬＦ信号をいつでも受信できる状態で待機する（ステップＳ２５３）。
ＬＦ信号を受信した場合（ステップＳ２５３における「Ｙｅｓ」）、ＬＦ受信回路２１２０は、受信したＬＦ信号が起動信号である否かを判断する（ステップＳ２５４）。具体的には、ＬＦ受信回路２１２０は、受信したＬＦ信号に起動パターンＷＡＫＥが存在するか否かを判断する。
【０１２４】
ＬＦ信号が起動信号であると判断する場合（ステップＳ２５４における「Ｙｅｓ」）、ＬＦ受信回路２１２０は、ＵＨＦ送信回路１４０を起動する（ステップＳ２５５）。
続いて、制御回路２１１０は、アクティブタグ２１００の識別情報をＵＨＦ送信回路１４０に入力する。ＵＨＦ送信回路１４０は、入力された識別情報を用いて変調したＵＨＦ帯の識別信号をリーダ２２００に送信する（ステップＳ２５６）。
【０１２５】
制御回路２１１０は、ＵＨＦ信号の送信が完了すると、送信完了信号をＬＦ受信回路２１２０に入力する。そして、ＬＦ受信回路２１２０は、送信完了信号が入力されると、ＵＨＦ送信回路１４０を再び停止させる（ステップＳ５７）。その後、処理は、ステップＳ２５３に移行する。
【０１２６】
一方、ＬＦ信号が起動信号でないと判断する場合（ステップＳ２５４における「Ｎｏ」）、ＬＦ受信回路２１２０は、受信したＬＦ信号がスイッチオフ信号であるか否かを判断する（ステップＳ２５８）。具体的には、ＬＦ受信回路２１２０は、受信したＬＦ信号にスイッチオフパターンＤＯＦＦが存在するか否かを判断する。
【０１２７】
ＬＦ信号がスイッチオフ信号でないと判断する場合（ステップＳ２５８における「Ｎｏ」）、処理は、ステップＳ２５３に移行する。
一方、ＬＦ信号がスイッチオフ信号であると判断する場合（ステップＳ２５８における「Ｙｅｓ」）、ＬＦ受信回路２１２０は、制御回路２１１０を介してスイッチ２３００にスイッチオフコマンドを入力する。そして、スイッチ２３００は、オフ状態となる（ステップＳ２５９）。
【０１２８】
なお、スイッチ２３００がオフ状態の場合、つまりＬＦ信号の電力を起電力とする場合には、図１８で示す流れ図において、ステップＳ２５１で示す「ボタンマーク押下」の代わりに「ＬＦ信号を受信」に変更し、ステップＳ２５２の処理の実行後にスイッチ２３００のスイッチをオンにする処理を追加することで、実現できる。
【０１２９】
（２）個人認証システム３の動作
ここでは、個人認証システム３の動作概要について、図１９に示す流れ図を用いて説明する。
【０１３０】
アクティブタグ２１００は、製造完了時からボタンマーク１８０が押下されるまでの間、電池１５０と各回路とは非接続の状態となっている。
アクティブタグ２１００は、ボタンマーク１８０が押下されると（Ｔ２５１）、図１８に示すステップＳ２５２の動作により、ＬＦ受信回路２１２０及び制御回路２１１０が起動する（Ｔ５２）。このとき、スイッチ１３００もオン状態となっており、電池１５０は、スイッチ１３００を介しても電力の供給を行っている。
【０１３１】
ここで、リーダ２２００は、ＬＦ帯の起動信号を生成するとともに、常にアンテナＡ２１を介して外部に当該起動信号を送出している（Ｔ２１２１）。このとき、アクティブタグ２１００の所持者が、リーダ２２００からのＬＦ信号の到達範囲内に侵入すると、ＬＦ受信回路２１２０が、起動信号を受信する。
【０１３２】
アクティブタグ２１００のＬＦ受信回路２１２０が起動信号を受信すると、図１８に示すステップＳ２５３からＳ２５５の動作により、ＵＨＦ送信回路１４０が起動される（Ｔ２５３）。
【０１３３】
アクティブタグ２１００は、図１８に示すステップＳ２５６の動作により、識別信号をアンテナＡ１１を介して外部（リーダ２２００）に送信する。そして、送信が完了すると、図１８に示すステップＳ２５７の動作により、ＵＨＦ送信回路１４０が停止される（Ｔ２５４）。
【０１３４】
また、リーダ２２００では、識別信号を受信すると、認証処理を行う（Ｔ２１２２）。そして、認証に成功すると、アクティブタグ２１００の所持者が入室を許可できる者であると特定して、ドアを開ける。認証に失敗すると、アクティブタグ２１００の所持者が入室を許可できる者ではないと特定して、ドアを閉めたままの状態にする。
【０１３５】
その後、ユーザ操作により、リーダ２２００は、スイッチオフ信号を生成し、アンテナＡ２１を介して外部に送信する（Ｔ２１２３）。
アクティブタグ２１００は、スイッチオフ信号を受信すると、図１８に示すステップＳ２５８、Ｓ２５９の動作により、スイッチ２３００がオフの状態になる（Ｔ２５５）。
【０１３６】
一方、ＬＦ帯の起動信号を生成するとともに、常にアンテナＡ２１を介して外部に当該起動信号を送出している（Ｔ２１２４）。このとき、アクティブタグ２１００の所持者がリーダ２２００からのＬＦ信号の到達範囲内に侵入すると、スイッチ２３００がオフの状態であるアクティブタグ２１００が送出された起動信号の電力を起電力としてＬＦ受信回路２１２０及び制御回路２１１０を起動し（Ｔ２５６）、スイッチ２３００のスイッチがオンの状態となる（Ｔ２５７）。その後、アクティブタグ２１００は、例えば、受信した起動信号を用いて、図１９に示すＴ２５３、Ｔ２５４の動作を実行し、リーダ２２００はＴ２１２２を実行する。なお、再びスイッチオフ信号を受信しない限り、電池１５０と各回路とは接続状態を保ったままである。
【０１３７】
３．５  まとめ
以上により、本実施の形態に係るアクティブタグ２１００は、製造が完了してからボタンマーク１８０が押下されるまでの間の電池１５０の消耗を防ぐだけでなく、例えばボタンマーク１８０の押下後で長時間使用しない場合において、スイッチ２３００をオフの状態とすることで、さらなる電池１５０の消耗を防ぐことができる。
【０１３８】
３．６  変形例
以上、実施の形態において、以下のような変形例が考えられる。
（１）上記第３の実施の形態において、ＬＦ受信回路２１２０は、制御回路２１１０を介してスイッチオフコマンド及びスイッチオンコマンドをスイッチ２３００に対して通知したが、これに限定されない。
【０１３９】
ＬＦ受信回路２１２０は、スイッチオフコマンド及びスイッチオンコマンドを、直接スイッチ２３００に対して通知してもよい。
（２）上記第３の実施の形態において、アクティブタグ２１００は、スイッチ２３００がオフ状態である場合、起動信号の電力を起電力としてＬＦ受信回路２１２０及び制御回路２１１０を起動させると、直ちにスイッチ２３００をオン状態にしたが、これに限定されない。
【０１４０】
アクティブタグ２１００は、起動信号の電力を起電力としてＬＦ受信回路２１２０及び制御回路２１１０を起動させた後、さらにリーダ２２００からスイッチ２３００をオンにする旨のＬＦ帯の信号を受信するとスイッチ２３００をオン状態にしてもよい。
【０１４１】
４．その他の変形例
以上、実施の形態及び変形例に基づいて説明したが、本発明は上記の実施に限られない。例えば、以下のような変形例が考えられる。
【０１４２】
（１）上記各実施の形態では、起動信号に起動パターンのみが含まれる例について説明したが、これに限定されるものではない。例えば、起動信号を送信する期間や回数などを含むものであってもよい。
【０１４３】
この場合、起動制御部が、起動信号から送信時間等を取り出し、制御回路に指示することになる。
（２）上記各実施の形態では、アクティブタグの各構成が別個の回路で構成される例について説明したが、これに限定されるものではない。
【０１４４】
例えば、アクティブタグの複数の構成の全部又は一部を、１チップ又は複数チップの集積回路で実現してもよい。
これにより、アクティブタグの小型化を図ることができる。
【０１４５】
（３）上記各実施の形態において、導電性接着シート１５を基体１２の凹部１２ａに接着させる機構としてボタンを用いたが、これに限定されない。
導電性接着シート１５を凹部１２ａに対して押し込むことで、凹部１２ａに接着させる機構であればよい。
【０１４６】
（４）上記各実施の形態で説明した制御回路、ＬＦ受信回路及びＵＨＦ送信回路を含む各回路の機能を実現するための処理をＣＰＵに実行させる為のプログラムは、記録媒体に記録して頒布することもできる。この記録媒体としては、ＩＣカード、光ディスク、フレキシブルディスク、ＲＯＭ、フラッシュメモリ等がある。頒布されたプログラムは、機器におけるＣＰＵで読み取り可能なメモリ等に格納され、その機器のＣＰＵがそのプログラムを実行することにより各実施の形態で示した各機能を実現できる。
【０１４７】
（５）上記実施の形態及び上記変形例をそれぞれ組み合わせるとしてもよい。
【符号の説明】
【０１４８】
１、２、３    個人認証システム
１０、１１００、２１００    アクティブタグ
１５    導電性接着シート
２０、１２００、２２００    リーダ
１００、１１００    回路基板
１１０、２１１０、２１２０    制御回路
１２０    ＬＦ受信回路
１４０    ＵＨＦ送信回路
１５０    電池
１８０    操作ボタン（ボタンマーク、ボタン部）
２１０、２２１０    制御回路
２２０、２２２０    ＬＦ送信回路
２３０    ＵＨＦ受信回路
１３００    スイッチ回路
２３００    スイッチ回路
【図１】
2012133546.tif 000003
【図２】
2012133546.tif 000004
【図３】
2012133546.tif 000005
【図４】
2012133546.tif 000006
【図５】
2012133546.tif 000007
【図６】
2012133546.tif 000008
【図７】
2012133546.tif 000009
【図８】
2012133546.tif 000010
【図９】
2012133546.tif 000011
【図１０】
2012133546.tif 000012
【図１１】
2012133546.tif 000013
【図１２】
2012133546.tif 000014
【図１３】
2012133546.tif 000015
【図１４】
2012133546.tif 000016
【図１５】
2012133546.tif 000017
【図１６】
2012133546.tif 000018
【図１７】
2012133546.tif 000019
【図１８】
2012133546.tif 000020
【図１９】
2012133546.tif 000021